(57)【特許請求の範囲】
【請求項１】
酵素温熱風呂において、風呂槽の底面および周面と温床の間に、木炭粒層を介在させたこと、を特徴とする酵素温熱風呂。
【請求項２】
請求項１記載の発明において、温床に補給する水分として、電子エネルギー水を用いたこと、を特徴とする酵素温熱風呂。
【発明の詳細な説明】
【技術分野】
【０００１】
本願発明は、酵素の自然発酵熱を利用した酵素温熱風呂に関する。
【背景技術】
【０００２】
酵素を利用した温熱風呂に関しては、温床の主成分として、おが屑をまたはおよび米糠等を利用したものが、健康維持・疲労回復・美容効果を目的として、巷間でかなり広く実用に供されている。
【０００３】
酵素を利用した温熱風呂に関する文献としては、特開平11-192277（特願平9-367719）がある。これは、酵素と米糠と水とを混合してなる粉末状の浴剤を上下２層として配置し、上層を身体を浴するための微好気状態の層とし、下層を補助的な嫌気状態の層とした酵素温熱風呂に関するものである。
【０００４】
また、酵素を利用した温熱風呂に関する文献（以下、特許文献２という。）としては、特開平11-19168（特願平9-196540）がある。これは、酵素とおが屑・米糠と塩水又は粗塩溶解水とを混合した浴剤を上下２層に分け、その下層に木炭層、さらにその下に最下層として赤土・砂利等からなる基盤層を設けた酵素温熱風呂に関するものである。
【０００５】
一般に、風呂槽は、木・コンクリート・ブロック・プラスティック等で構成されているが、風呂槽の周面・底面に溜まった水分が腐敗菌の発生を生じ易くし、一方その水分を排出することは極めて困難であることから、風呂層は木製であることが推奨されている。
また、風呂槽の内容物は、酵素とおが屑またはおよび米糠またはおよび鶏糞等を粉末状にした浴剤と、酵素と浴剤とを自然発酵させるための水分とからなっている。
以下において、風呂槽の中に収納され、自然発酵によって熱を放出する物体の集合を、適宜「温床」という。
【０００６】
炭には、調湿作用、吸着作用、電気的作用、触媒作用等があることが知られており、上記特許文献２にも木炭層として木炭が使用されているが、その木炭層の効果としては「乾燥、殺菌、除臭効果を高めると共に、木炭が放出するマイナスイオンが人体に良い作用を与えることができる。」とされているが、それ以上の記述は無く、単なる観念的な効果しか記載されていない。
【０００７】
酵素温熱風呂が発生する臭いには、発酵菌の発酵による発酵臭と腐敗菌によって発生する腐敗臭とがある。
水分が過剰状態になると腐敗菌が増殖し、臭いの過度な発生や虫類（蛆虫、蝿、蚊等）の発生を招き、特に虫類は風呂層の中央に寄り集まって来ることから、酵素温熱風呂としては使用できない状態となって、温床の取替えが必要となり、その取替えには多額の出費が必要となる。
【０００８】
従来の酵素温熱風呂は、臭いの発生や虫類の発生に悩まされ、良好な防止対策が得られていなかった。
【先行技術文献】
【特許文献】
【０００９】
【特許文献１】特願平9-367719
【特許文献２】特願平9-196540
【発明の概要】
【発明が解決しようとする課題】
【００１０】
本願発明は、上記のような事情のもとで考えだされた酵素温熱風呂に関するもので、水分の量を適切に制御できるようにして、腐敗臭の発生や虫類の発生の少ない、メンテナンスのしやすい酵素温熱風呂を提供することを課題とする。
【課題を解決するための手段】
【００１１】
このため、本願発明では、以下の構成を採用した。
酵素温熱風呂において、風呂槽と温床の間に、即ち、風呂槽の底面の他、側壁を構成する側面（以下、適宜、「周面」という。）、矩形体の風呂槽なら４つの側面、に木炭粒を層状（以下、「木炭粒層」という。）にして、風呂槽の底面のみならず、風呂槽の周面にも介在させた。
【００１２】
さらに、温床に補給する水分として、電子エネルギー水を用いた。
一般にイオン水と言われる水には、波動水とか電子エネルギー水とか言われる水も含まれるが、本願発明が使用する水分としては、水道水のように身近にある飲料水に、高電圧発生装置により発生させた7000〜12000Ｖの高電圧を数時間印加し帯電させて製造する水（以下、「電子エネルギー水」という。）を使用している。
ＮＭＲ分光法による水の幅（水分子の大きさ）の計測において、本願に使用する電子エネルギー水は、その計測値は、計測例によれば、55.9 Hz であって、水道水の 88.2 Hz に比べて小さいため（水分子が小さいため）、流動性が良いものである。
【発明の効果】
【００１３】
本願発明においては、単なる木炭ではなく、木炭粒を用い、さらに、層状の木炭粒層にして、風呂槽の底面のみならず、風呂槽の周面にも介在させたことから、底面に溜まる水分も、周面の木炭粒層を通じて、風呂槽から蒸発して行くことになり、温床の温度調節が容易になる効果の他に、水分が過剰となって生じる不都合な事態、例．腐敗臭の発生・虫類の発生、を回避することができる。
【００１４】
また、風呂槽の周面・底面の層状の木炭粒層は、空気の流通を良くすることから、層状の木炭粒層の表面から温床の中央に向かって発酵菌の良好な発酵を促進する。これにより、温床全体を撹拌する必要があった従来の酵素温熱風呂に比べ、身体に接する部分程度の撹拌で済むようになり、メンテナンス労力を著しく軽減することができる。
【００１５】
一般に、従来の酵素温熱風呂の風呂槽においては、風呂槽の周面・底面には水分が溜まって腐敗菌の発生を生じ易く、一方その水分を排出することは極めて困難であることから、風呂層は木製であることが推奨されている。
しかし、風呂槽の周面・底面に層状の木炭粒層を設けた本願発明では、上記のごとく、水分調整・空気流通性が良くなったことから、あえて、風呂槽を木製とする必要は無くなり、木・コンクリート・ブロック・プラスティック等で風呂槽を構成することができるようになったことから、安価に酵素温熱風呂を提供できるようになった。
【００１６】
風呂槽の周面・底面に層状の木炭粒層を設けた本願発明では、周面の木炭粒層の上部において、木炭粒層が通常含有する木酢成分が、蟻・むかで等の虫類が温床に入り込むのを防止する効果も有している。木酢成分が消耗した場合は、木酢を木炭粒層に容易に補充でき、また木炭粒は多孔質であるから長期にわたって木酢成分を保持できるという効果がある。
【００１７】
本願発明においては使用している電子エネルギー水は、水分子が小さいため流動性が良く、酵素の自然発酵を促進し、良好な効果を生み出している。
【００１８】
また、電子エネルギー水は、酵素が冬眠状態になる秋から冬にかけても、酵素を活性化させる効果を有することから、酵素の機能を休ませることはなく、一年中安定した自然発酵性能を酵素に発揮させることができる。
【００１９】
さらに、電子エネルギー水は、帯電されたイオンが、制菌・防虫に顕著な効果があることが判明し、従来以上の快適な酵素温熱風呂の利用を可能にした。
【００２０】
木炭粒層と電子エネルギー水の併用は、相乗効果により、制菌・防虫効果をさらに高め、温度調節が容易になり、腐敗臭の発生を押さえる等、メインテナンスを容易にする効果が一段と高められた。
【図面の簡単な説明】
【００２１】
【図１】図１は、本願発明の酵素温熱風呂の断面図である。
【発明を実施するための形態】
【００２２】
木炭粒の材料としては、国内製材所で廃材とされるおが屑や木皮が使われ、炭としての製法には、備長炭の製法とは異なる製法である「プール式製炭法」あるいは「山仙法」と呼ばれる製法による炭が最良であり、炭としての大きさが残る程度の大きさの炭（１〜３ｍｍ）が混在する粒状の炭（以下、「木炭粒」という。）が用いられる。
なお、上記の大きさの木炭粒に、より大きな木炭粒を混在させても良い。
【００２３】
温熱風呂の温床３０の浴剤を用意しておく。浴剤は、米糠を主成分とし、適宜必要に応じおが屑またはおよび鶏糞を加え、酵素を混合して調整されたものである。
【００２４】
先ず、風呂槽１０の底面に適当な厚さで木炭粒を敷き詰める。
次に、風呂槽の周面に、風呂槽の内面と適当な間隔をおいて、ベニヤ材（図示省略）を立てる。
ここで、「適当な厚さ」「適当な間隔」とは、木炭粒層２０の厚さに相当し、通常は 10cm 〜 30cm 程度であって、その厚さは、風呂槽の大きさに依って定められる。
【００２５】
風呂槽１０とベニヤ板材（図示省略）との間隙に木炭粒を適当な高さに敷き詰めて木炭粒層２０とし、適度の硬さになるように押圧する。
さらにベニヤ板材の間、即ち温床となる範囲、に、既に調整された浴剤を、木炭粒層の高さを考慮した高さに敷き詰め、適当な硬さとなるように押圧する。
木炭粒層と浴剤の硬さは、同一硬さとする必要はなく、適宜それぞれが適切な硬さとなるように調整される。
必要に応じて、水・電子エネルギー水を散布する。
これを繰り返して、最終的な所定の高さになるようにする。
木炭粒層と浴剤の硬さを、最終的に調整した後、ベニヤ板材を引き抜く。
【００２６】
放置して、自然発酵されるのを待ち、温床の撹拌を繰り返えし、温床が適切な温度に調整された後、浴槽として供される。
【産業上の利用可能性】
【００２７】
酵素温熱風呂は、健康維持・疲労回復・美容効果を目的として、巷間でかなり広く実用に供されていることから、その有用性を高めることは、健康産業において極めて利用性が高いものである。
【符号の説明】
【００２８】
１０    風呂槽
２０    木炭粒層
３０    温床
【要約】
【課題】酵素温熱風呂での水分量を適切に制御できるようにして、腐敗臭の発生や虫類の発生の少ないまた虫類の入り込まない、メンテナンスのしやすい酵素温熱風呂を提供する。
【解決手段】風呂槽と温床の間に、即ち、風呂槽の底面の他、側壁を構成する側面に木炭粒層を介在させて、炭の有する調湿・吸着・電気的作用を利用した。また、温床に補給する水分として、電子エネルギー水を用い、帯電させたイオンと小さくなった水分子の流動性を積極的に利用し、さらに、木炭粒層と電子エネルギー水とを組み合わせて相乗効果を発揮できるようにした。
【選択図】    図１【図１】
0005895281.tif 000002